(57)【要約】【課題】液晶パネルの端部の温度上昇を防止して、表示斑の発生を防止することができる液晶表示装置を提供する。【解決手段】底面と側面を有するリアフレームと、該リアフレームの上に設置される反射板、バックライトユニット、中間フレーム、液晶表示素子および放熱シートと、これらを上から挟むように締結手段により前記リアフレームと締結される金属製フロントフレームを備える液晶表示装置。前記フロントフレームの液晶パネル接触面辺が下向きになるように成形されている。【選択図】        図１
2005031124.tif 000002
【特許請求の範囲】
【請求項１】
底面と側面を有するリアフレームと、該リアフレームの上に設置される反射板、バックライトユニット、中間フレーム、液晶表示素子および放熱シートと、これらを上から挟むように締結手段により前記リアフレームと締結される金属製フロントフレームを備える液晶表示装置であって、前記フロントフレームの液晶パネル接触面辺が下向きになるように成形されてなる液晶表示装置。
【請求項２】
前記フロントフレームの液晶パネル接触面辺の境界部であるコーナ部にスリットが設けられてなる請求項１記載の液晶表示装置。
【請求項３】
前記フロントフレームの液晶パネル接触面辺の中央部における下向き量を該液晶パネル接触面辺の境界部であるコーナ部より大きく設定されてなる請求項１記載の液晶表示装置。
【発明の詳細な説明】
【０００１】
【発明の属する技術分野】
本発明は液晶表示装置に関する。さらに詳しくは、液晶パネルの端部の温度上昇を防止して、帯状の白色部分（表示斑）の発生を防止することができる液晶表示装置に関する。
【０００２】
【従来の技術】
液晶表示装置は、リアフレームの上に反射板、バックライトユニット（冷陰極管、リフレクタ、導光板および拡散板）、中間フレームおよび液晶パネルが置かれており、フロントフレームを前記リアフレームの側面でかみ合い締結させることにより構成されている。この液晶表示装置において、前記冷陰極管の近傍で液晶パネルの一部が加熱され高温になると、帯状の白色部分（表示斑）が表示される。ここで、前記リアフレームやフロントフレームは直接外気と接触しており、熱を外部に放熱する機能があることから、表示パネルに伝わる熱を何らかの構造でリアフレームやフロントフレームへ流れやすくして液晶パネルの温度上昇を防止することができれば、前記表示斑をなくすことができる。
【０００３】
たとえば特許文献１に記載される液晶表示装置では、冷陰極管の少なくとも相対的に発熱量の多い部分とフロントフレームとのあいだに弾性変形可能な放熱シートを介在させて、熱を放熱シートからフロントフレームに速やかに伝導させて外気中に放散し、液晶パネルが乗る部分のフレームの温度上昇を小さくするようにしている。
【０００４】
【特許文献１】
特開平１１−２９７１１６号公報
【０００５】
【発明が解決しようとする課題】
しかしながら、従来の液晶表示装置では、前記放熱シートとフロントフレームとの接触圧力を維持および調整する機構がないため、場合によっては放熱シートとフロントフレームが接触しない部分が生じ、本来の目的である液晶パネルの端部の冷却が充分に行なえない惧れがある。
【０００６】
本発明は、叙上の事情に鑑み、液晶パネルの端部の温度上昇を防止して、表示斑の発生を防止することができる液晶表示装置を提供することを目的とする。
【０００７】
【課題を解決するための手段】
本発明の液晶表示装置は、底面と側面を有するリアフレームと、該リアフレームの上に設置される反射板、バックライトユニット、中間フレーム、液晶表示素子および放熱シートと、これらを上から挟むように締結手段により前記リアフレームと締結される金属製フロントフレームを備える液晶表示装置であって、前記フロントフレームの液晶パネル接触面辺が下向きになるように成形されてなることを特徴としている。
【０００８】
【発明の実施の形態】
以下、添付図面に基づいて本発明の液晶表示装置を説明する。
【０００９】
実施の形態１
図１〜３に示されるように、本発明の実施の形態１にかかわる液晶表示装置は、底面と側面を有するリアフレーム１と、その上に設置される反射板２、バックライトユニット３、中間フレーム４、液晶表示素子５および放熱シート６と、これらを上から挟むように締結手段、たとえば切欠きとフックにより前記リアフレーム１と締結されるフロントフレーム７から構成されている。このフロントフレーム７は、金属製であり、上面に表示窓を有している。
【００１０】
前記バックライトユニット３および液晶表示素子５は、本発明において、とくに限定されるものではないが、たとえば前記バックライトユニット３としては、少なくとも冷陰極管８、該冷陰極管８に沿って開口し、発光を照射する断面がほぼコ字状のリフレクタ９および前記冷陰極管８を介してリフレクタ９に対向配置され、一定の方向に照射された発光を導光する導光板１０および拡散板１１から構成されるものを用いることができる。また、前記液晶表示素子５として、たとえば上側または下側基板上に着色層、遮光層、スイッチング素子となる薄膜トランジスタ（以下、ＴＦＴという）、画素電極などの電極および配線が形成されたＴＦＴアレイ基板および対向基板、２枚の基板を等間隔に保持するスペーサ、２枚の基板を貼り合わせるシール材、２枚の基板のあいだに液晶を注入したのち、封止する封止材、液晶に初期配向をもたせる配向膜からなる液晶パネル５ａおよび光を偏光させる偏光板（図示せず）などから構成されるものを用いることができる。また、前記液晶パネル５ａは、基本的に２枚のガラスで構成され、中間に液晶が封止されているが、制御基板（駆動回路基板）５ｂ側の液晶パネル５ａの下端部は該基板５ｂからの信号を受けるために端子が形成された延長ガラス部分（パネル端部）を有している。
【００１１】
本発明は、前記フロントフレーム７の液晶パネル接触面辺７ａが、表示斑が発生する液晶パネル５ａの端部、すなわち端部上面に直接接触する部分であることから、この接触面辺７ａと液晶パネル５ａの端部との接触を良好にして液晶パネル５ａが受けた熱を速やかにフロントフレーム７に伝えるようにする。
【００１２】
前記放熱シート６は、前記液晶パネル５ａの端部の熱をフロントフレーム７に伝えることにより液晶パネル５ａの端部の温度上昇を防止するために、前記制御基板５ｂ側のパネル端部とフロントフレーム７とのあいだに設置されている。この放熱シート６としては、たとえばシリコーンシートを用いることができる。
【００１３】
前記フロントフレーム７の液晶パネル接触面辺７ａは、図３に示されるように、下向きになるように成形されており、フロントフレーム７をリアフレーム１に締結した時点、すなわち組付けが完了した時点で図４に示されるように、液晶パネルの端部上面と平行（本来の正常形）になるようにＴ方向に変形する。これにより、締結時には、フロントフレーム７の液晶パネル接触面辺７ａのバネ力で液晶パネル５ａの端部および制御基板５ｂ側のパネル端部とフロントフレーム７とのあいだに介在される放熱シート６は一様な力で押さえ付けられる。なお、液晶パネル接触面辺７ａによるバネ力の強さは、図３に示される下向き量（変形量）δの大きさにより調整することができる。この下向き量δの大きさは、液晶パネル接触面辺７ａの長さやフロントフレーム７の材質にもよるが、通常、０．５〜２．０ｍｍ程度である。
【００１４】
前記フロントフレーム７に液晶パネル５ａや放熱シート６を一様に押さえる力がないと、フロントフレーム７の一部で液晶パネル５ａや放熱シート６とフロントフレーム７との熱接触が不充分になり、液晶パネル５ａの温度が上昇して表示斑の原因となるが、本実施の形態では、液晶パネル５ａを押さえるフロントフレーム７の液晶パネル接触面辺７ａは片持ち張りに加重が掛かる状態になっているため、液晶パネル接触面辺７ａのバネ性で液晶パネル５ａおよび放熱シート６を一様な力で押さえ付けることができる。このため、液晶パネル５ａの端部を一様に冷却することが可能になり、表示斑の発生を防止することができる。
【００１５】
実施の形態２
前記実施の形態１における、液晶パネル５ａを押さえるための下向き量δをコーナ部Ｒにも設けた場合、材料力学的にコーナ部Ｒには大きな押さえ付け力が発生するなど液晶パネル５ａに掛かる加重が過大となる惧れがある。そこで、本実施の形態２では、図５に示されるように、フロントフレーム７の各液晶パネル接触面辺７ａの境界部であるコーナ部Ｒにスリット１２を設けている。かかるスリット１２を設けることにより、液晶パネル接触面辺７ａの力学的なバネ構造を全辺同一にして、全体の押さえ付け力を均一にすることができ、液晶パネル接触面辺７ａと液晶パネルおよび放熱シートとの接触状態を一様にすることができる。これにより、液晶パネルの端部を均一に冷却して、液晶パネルの表示斑の発生を防止することができる。
【００１６】
実施の形態３
前記実施の形態１において、図３に示される下向き量δはフロントフレーム７の液晶パネル接触面辺７ａに沿って一様にされている。しかしながら、液晶パネル接触面辺７ａが長いため、組立て時には下向き量δによる液晶パネル接触面辺７ａに捩れが発生して、とくに液晶パネル接触面辺７ａの中央部では下向き量δがないような状態になり押さえ付け力が弱くなることが懸念される。そこで、本実施の形態３では、図６に示されるように、フロントフレーム７の液晶パネル接触面辺７ａの中央部のバネ力が大きめになるように、液晶パネル接触面辺７ａの中央部の下向き量δをコーナ部Ｒの下向き量より大きく設定している。このコーナ部Ｒの下向き量としては、たとえば中央部の下向き量δのほぼ５０％程度とすることができる。中央部の下向き量δとコーナ部Ｒの下向き量を異ならせると、液晶パネル接触面辺７ａの中央部とコーナ部Ｒとのあいだに剛性の差が生じるため、組立て時に液晶パネル接触面辺７ａに捩れが発生した場合でも下向き量δを全体的に一様に確保できるため、液晶パネルおよび放熱シートに一様な押さえ付け力を与え、接触状態を一様にするので、液晶パネルの端部をより均一に冷却して、液晶パネルの表示斑の発生を防止することができる。
【００１７】
【発明の効果】
以上説明したとおり、本発明によれば、フロントフレームの液晶パネル接触面辺にバネ性をもたせることにより、フロントフレームとリアフレームを締結した際に、フロントフレームの液晶パネル接触面辺が液晶パネルおよび放熱シートを一様に押さえ付けて、接触状態を均一にするため、液晶パネルに伝わる熱を速やかにフロントフレームに伝達および放熱して、液晶パネルの端部の温度上昇を防止することができる。これにより、液晶パネルの表示斑の発生を防止することができる。
【図面の簡単な説明】
【図１】本発明の実施の形態１にかかわる液晶表示装置を示す分解斜視図である。
【図２】図１の液晶表示装置の要部断面図である。
【図３】実施の形態１にかかわるフロントフレームの要部断面図である。
【図４】実施の形態１にかかわるフロントフレームの組付け時の変形状態を示す説明図である。
【図５】本発明の実施の形態２にかかわるフロントフレームの平面図である。
【図６】本発明の実施の形態３にかかわるフロントフレームの断面図である。
【符号の説明】
１  リアフレーム、２  反射板、３  バックライトユニット、４  中間フレーム、５  液晶表示素子、５ａ  液晶パネル、５ｂ  制御基板（駆動回路基板）、６  放熱シート、７  フロントフレーム、７ａ  液晶パネル接触面辺、８  冷陰極管、９  リフレクタ、１０  導光板、１１  拡散板、１２  スリット。
【図１】
2005031124.tif 000003
【図２】
2005031124.tif 000004
【図３】
2005031124.tif 000005
【図４】
2005031124.tif 000006
【図５】
2005031124.tif 000007
【図６】
2005031124.tif 000008